(57)【要約】【課題】登録された留守番電話メッセージを遅延を生じることなく該当ユーザに通知することができる携帯電話システムを提供する。【解決手段】携帯電話機で不在着信あり状態となった場合、予め定められた第１の設定時間を計時し、この設定時間となった瞬間に、携帯電話機は留守番電話メッセージあり／なしを確認するための通信を行なう。このため、着信に出ることができなかった場合に、電話をかけてきた相手が留守番電話メッセージを残したことをタイムラグなしに確認することができる。また、留守番電話サービスセンタに留守番電話メッセージがあるか否かの確認に既存の「呼設定」信号、「呼設定受付」信号を用いたことで、網側のシステムを変更する必要がない。【選択図】        図１
2004289633.tif 000002
【特許請求の範囲】
【請求項１】
無線基地局と、留守番電話サービスセンタに登録された留守番電話メッセージを取得可能な携帯電話機と、が無線通信を行なう携帯電話システムであって、
前記携帯電話機は、不在着信ありの状態を検出すると予め定められた第１の設定時間を計時し、前記無線基地局との呼設定の際に使用した呼設定信号を前記第１の設定時間経過後に前記無線基地局に送信し、
前記呼設定信号を受信した前記無線基地局は、前記留守番電話サービスセンタに該当携帯電話機宛の留守番電話メッセージが登録されているか否かを検出し、前記呼設定信号に対する応答信号である呼設定受付信号に、留守番電話メッセージが登録されているか否かを示すデータを含めて前記携帯電話機に送信することを特徴とする携帯電話システム。
【請求項２】
前記携帯電話機は、
該携帯電話機がサービスエリア圏外から圏内に入ったことを検出する電波検出手段を有し、
サービスエリア圏外から圏内に入った時に前記呼設定信号を前記無線基地局に対して送信し、
前記呼設定信号を受信した前記無線基地局は、前記留守番電話サービスセンタに該当携帯電話機宛の留守番電話メッセージが登録されているか否かを検出し、前記呼設定信号に対する応答信号である呼設定受付信号に、留守番電話メッセージが登録されているか否かを示すデータを含めて前記携帯電話機に送信することを特徴とする請求項１記載の携帯電話システム。
【請求項３】
前記携帯電話機は、
前記無線基地局からの発呼を受けると予め定められた第２の設定時間を計時し、該第２の設定時間を経過しても前記発呼に対する応答がなかった場合に呼切断して前記不在着信状態とすることを特徴とする請求項１または２記載の携帯電話システム。
【請求項４】
無線基地局と、留守番電話サービスセンタに登録された留守番電話メッセージを取得可能な携帯電話機と、が無線通信を行なう携帯電話システムにおける留守番電話メッセージ確認方法であって、
前記携帯電話機において、不在着信ありの状態となると予め定められた第１の設定時間を計時し、前記無線基地局との呼設定の際に使用した呼設定信号を前記第１の設定時間経過後に前記無線基地局に送信する処理を行ない、
前記呼設定信号を受信した前記無線基地局において、前記留守番電話サービスセンタに該当携帯電話機宛の留守番電話メッセージが登録されているか否かを検出し、前記呼設定信号に対する応答信号である呼設定受付信号に、留守番電話メッセージが登録されているか否かを示すデータを含めて前記携帯電話機に送信する処理を実行することを特徴とする留守番電話メッセージ確認方法。
【請求項５】
前記携帯電話機において、
該携帯電話機がサービスエリア圏外にあるのか圏内にあるのかを検出する処理を行ない、サービスエリア圏外から圏内に入った時に前記呼設定信号を前記無線基地局に対して送信する処理を行ない、
前記呼設定信号を受信した前記無線基地局において、前記留守番電話サービスセンタに該当携帯電話機宛の留守番電話メッセージが登録されているか否かを検出し、前記呼設定信号に対する応答信号である呼設定受付信号に、留守番電話メッセージが登録されているか否かを示すデータを含めて前記携帯電話機に送信する処理を行なうことを特徴とすることを特徴とする請求項４記載の留守番電話メッセージ確認方法。
【請求項６】
前記携帯電話機において、
前記無線基地局からの発呼を受けると予め定められた第２の設定時間を計時し、該第２の設定時間を経過しても前記発呼に対する応答がなかった場合に呼切断して前記不在着信状態とする処理を行なうことを特徴とする請求項４または５記載の留守番電話メッセージ確認方法。
【請求項７】
無線基地局と、留守番電話サービスセンタに登録された留守番電話メッセージを取得可能な携帯電話機と、が無線通信を行なう携帯電話システムにおける留守番電話メッセージ確認プログラムであって、
前記携帯電話機において、不在着信ありの状態となると予め定められた第１の設定時間を計時し、前記無線基地局との呼設定の際に使用した呼設定信号を前記第１の設定時間経過後に前記無線基地局に送信する処理を行ない、
前記呼設定信号を受信した前記無線基地局において、前記留守番電話サービスセンタに該当携帯電話機宛の留守番電話メッセージが登録されているか否かを検出し、前記呼設定信号に対する応答信号である呼設定受付信号に、留守番電話メッセージが登録されているか否かを示すデータを含めて前記携帯電話機に送信する処理を実行することを特徴とする留守番電話メッセージ確認プログラム。
【請求項８】
前記携帯電話機において、
該携帯電話機がサービスエリア圏外にあるのか圏内にあるのかを検出する処理を行ない、サービスエリア圏外から圏内に入った時に前記呼設定信号を前記無線基地局に対して送信する処理を行ない、
前記呼設定信号を受信した前記無線基地局において、前記留守番電話サービスセンタに該当携帯電話機宛の留守番電話メッセージが登録されているか否かを検出し、前記呼設定信号に対する応答信号である呼設定受付信号に、留守番電話メッセージが登録されているか否かを示すデータを含めて前記携帯電話機に送信する処理を行なうことを特徴とする請求項７記載の留守番電話メッセージ確認プログラム。
【請求項９】
前記携帯電話機において、
前記無線基地局からの発呼を受けると予め定められた第２の設定時間を計時し、該第２の設定時間を経過しても前記発呼に対する応答がなかった場合に呼切断して前記不在着信状態とする処理を行なうことを特徴とする請求項７または８記載の留守番電話メッセージ確認プログラム。
【発明の詳細な説明】
【０００１】
【発明の属する技術分野】
本発明は、留守番電話機能を備えた携帯電話システム、その留守番電話メッセージ確認方法、及びプログラムに関する。
【０００２】
【従来の技術】
通信の発達に応じて様々なサービスが提供されるようになった。その一つに留守番電話機能がある。携帯電話機における留守番電話機能は、相手側の携帯電話機の電源が入っていない時、電波の届かない場所にいる時など発呼したが呼が接続されなかった時、また、呼が接続され呼び出しを行なったが応答がなかった場合などに、通話呼を留守番電話サービスセンタに転送して留守番電話メッセージを登録する機能である。
【０００３】
また、留守番電話サービスセンタに留守番電話メッセージが登録されているか否かの判定は、留守番電話メッセージが登録された後に生じた通話呼の呼設定時に行なわれる。留守番電話メッセージが登録された携帯電話機からの発呼である場合には、当該携帯電話機からの「呼設定」信号に対して無線基地局から送信される「呼設定受付」信号内に留守番電話メッセージがあるか否かを示すデータが乗せられている。また留守番電話メッセージが登録された携帯電話機への着呼であった場合には、無線基地局からの「呼設定」信号内に留守番電話メッセージがあるか否かを示すデータが乗せられている。
【０００４】
携帯電話機の留守番電話機能に関する技術が以下に示す特許文献１〜５に開示されている。特許文献１〜４には、通話圏外から圏内に復帰して位置登録した時、または電源をオンして待ち受け状態となった時に、留守番電話メッセージの登録有無をセンタ（網）に問い合わせ、その応答情報からメッセージの有無を確認する技術が開示されている。また、特許文献５には、前記技術と、不応答で着信切断し、所定時間経過後留守番電話メッセージの登録有無をセンタ（網）に問い合わせ、その応答情報からメッセージの有無を確認する技術が開示されている。
【０００５】
【特許文献１】
特開２００２−１９１０７６号公報
【特許文献２】
特開２００２−２６１９４３号公報
【特許文献３】
特開平１１−１８７４５４号公報
【特許文献４】
特開平７−２８３８７２号公報
【特許文献５】
国際公開番号ＷＯ９６／１４７１８公報
【０００６】
【発明が解決しようとする課題】
従来は、留守番電話メッセージが留守番電話サービスセンタに存在する状態でも、携帯電話機の所有者が留守番電話メッセージが登録されているか否かを確認できるのは、次に発信または着信したときに無線基地局から送信される「呼設定受付」信号を受信したときであるため、遅延が生じていた。
【０００７】
また、上述した特許文献１〜５に記載された発明は、留守番電話メッセージがあるか否かを留守番電話センタに問い合わせるために、新たな信号を生成していた。このため、無線基地局側のソフトウェア構成に新たな変更を加えなければならなかった。
【０００８】
本発明は上記事情に鑑みてなされたものであり、登録された留守番電話メッセージを遅延を生じることなく該当ユーザに通知することができる携帯電話システム、その留守番電話メッセージ確認方法、及びプログラムを提供することを目的とする。
【０００９】
【課題を解決するための手段】
係る目的を達成するために請求項１記載の発明は、無線基地局と、留守番電話サービスセンタに登録された留守番電話メッセージを取得可能な携帯電話機と、が無線通信を行なう携帯電話システムであって、携帯電話機は、不在着信ありの状態を検出すると予め定められた第１の設定時間を計時し、無線基地局との呼設定の際に使用した呼設定信号を第１の設定時間経過後に無線基地局に送信し、呼設定信号を受信した無線基地局は、留守番電話サービスセンタに該当携帯電話機宛の留守番電話メッセージが登録されているか否かを検出し、呼設定信号に対する応答信号である呼設定受付信号に、留守番電話メッセージが登録されているか否かを示すデータを含めて携帯電話機に送信することを特徴とする。
【００１０】
請求項２記載の発明は、請求項１記載の発明において、携帯電話機は、携帯電話機がサービスエリア圏外から圏内に入ったことを検出する電波検出手段を有し、サービスエリア圏外から圏内に入った時に呼設定信号を無線基地局に対して送信し、呼設定信号を受信した無線基地局は、留守番電話サービスセンタに該当携帯電話機宛の留守番電話メッセージが登録されているか否かを検出し、呼設定信号に対する応答信号である呼設定受付信号に、留守番電話メッセージが登録されているか否かを示すデータを含めて携帯電話機に送信することを特徴とする。
【００１１】
請求項３記載の発明は、請求項１または２記載の発明において、携帯電話機は、無線基地局からの発呼を受けると予め定められた第２の設定時間を計時し、該第２の設定時間を経過しても発呼に対する応答がなかった場合に呼切断して不在着信状態とすることを特徴とする。
【００１２】
請求項４記載の発明は、無線基地局と、留守番電話サービスセンタに登録された留守番電話メッセージを取得可能な携帯電話機と、が無線通信を行なう携帯電話システムにおける留守番電話メッセージ確認方法であって、携帯電話機において、不在着信ありの状態となると予め定められた第１の設定時間を計時し、無線基地局との呼設定の際に使用した呼設定信号を第１の設定時間経過後に無線基地局に送信する処理を行ない、呼設定信号を受信した無線基地局において、留守番電話サービスセンタに該当携帯電話機宛の留守番電話メッセージが登録されているか否かを検出し、呼設定信号に対する応答信号である呼設定受付信号に、留守番電話メッセージが登録されているか否かを示すデータを含めて携帯電話機に送信する処理を実行することを特徴とする。
【００１３】
請求項５記載の発明は、請求項４記載の発明において、携帯電話機において、携帯電話機がサービスエリア圏外にあるのか圏内にあるのかを検出する処理を行ない、サービスエリア圏外から圏内に入った時に呼設定信号を無線基地局に対して送信する処理を行ない、呼設定信号を受信した無線基地局において、留守番電話サービスセンタに該当携帯電話機宛の留守番電話メッセージが登録されているか否かを検出し、呼設定信号に対する応答信号である呼設定受付信号に、留守番電話メッセージが登録されているか否かを示すデータを含めて携帯電話機に送信する処理を行なうことを特徴とすることを特徴とする。
【００１４】
請求項６記載の発明は、請求項４または５記載の発明において、携帯電話機において、無線基地局からの発呼を受けると予め定められた第２の設定時間を計時し、該第２の設定時間を経過しても発呼に対する応答がなかった場合に呼切断して不在着信状態とする処理を行なうことを特徴とする。
【００１５】
請求項７記載の発明は、無線基地局と、留守番電話サービスセンタに登録された留守番電話メッセージを取得可能な携帯電話機と、が無線通信を行なう携帯電話システムにおける留守番電話メッセージ確認プログラムであって、携帯電話機において、不在着信ありの状態となると予め定められた第１の設定時間を計時し、無線基地局との呼設定の際に使用した呼設定信号を第１の設定時間経過後に無線基地局に送信する処理を行ない、呼設定信号を受信した無線基地局において、留守番電話サービスセンタに該当携帯電話機宛の留守番電話メッセージが登録されているか否かを検出し、呼設定信号に対する応答信号である呼設定受付信号に、留守番電話メッセージが登録されているか否かを示すデータを含めて携帯電話機に送信する処理を実行することを特徴とする。
【００１６】
請求項８記載の発明は、請求項７記載の発明において、携帯電話機において、携帯電話機がサービスエリア圏外にあるのか圏内にあるのかを検出する処理を行ない、サービスエリア圏外から圏内に入った時に呼設定信号を無線基地局に対して送信する処理を行ない、呼設定信号を受信した無線基地局において、留守番電話サービスセンタに該当携帯電話機宛の留守番電話メッセージが登録されているか否かを検出し、呼設定信号に対する応答信号である呼設定受付信号に、留守番電話メッセージが登録されているか否かを示すデータを含めて携帯電話機に送信する処理を行なうことを特徴とする。
【００１７】
請求項９記載の発明は、請求項７または８記載の発明において、携帯電話機において、無線基地局からの発呼を受けると予め定められた第２の設定時間を計時し、該第２の設定時間を経過しても発呼に対する応答がなかった場合に呼切断して不在着信状態とする処理を行なうことを特徴とする。
【００１８】
【発明の実施の形態】
次に、添付図面を参照しながら本発明に係る実施の形態を詳細に説明する。図１〜図６を参照すると本発明に係る実施の形態が示されている。
【００１９】
まず、図１を参照しながら本発明に係る第１の実施形態について説明する。図１に示されるように本実施形態は、網とのデータの送受信を行なうアンテナ１１０と、アンテナ１１０により受信したデータ、または携帯電話機側で生成したデータを変調する変調部１２０と、留守番電話あり／なし判定部１３１を含む制御部１３０と、留守番電話メッセージがあるか否かの確認を行なうまでの時間をカウントするタイマカウント部１４０と、ユーザが実際の操作を行なう操作部１５０と、留守番電話録音されたメッセージがある旨を表示する表示部１６０と、を具備する。制御部１３０に備えられた留守番電話あり／なし判定部１３１は、網側より送信された信号により留守番電話メッセージが登録されているか否かを判定する。
【００２０】
無線基地局から送信された信号はアンテナ１１０により受信し、変調部１２０を介してＡ／Ｄ変換され制御部１３０に取り込まれる。制御部１３０は、表示部１６０に着信表示し、図示しないスピーカにより着信音を鳴らすことでユーザに着信を通知する。ここでユーザが操作部１５０により通話の操作を行なった場合には通話状態となる。
【００２１】
また、ユーザによる操作入力が入力されず、着信が途切れた場合には、タイマカウント部１４０により所定の時間Ｍをカウントする。所定の時間Ｍとは、留守番電話メッセージを録音しているであろう時間を考慮に入れた時間である。Ｍ時間経過後、タイマカウント部１４０は、Ｍ時間を計時したことを制御部１３０に通知する。制御部１３０は、変調部１２０を介してアンテナ１１０より「呼設定」信号を網側に送信する。「呼設定」信号を受信した網側は「呼設定受付」信号を携帯電話機側に送信する。「呼設定受付」信号には、留守番電話サービスセンタに該当携帯電話機宛の留守番電話メッセージが登録されているか否かを示すデータが含まれている。
【００２２】
制御部１３０内の留守番電話あり／なし判定部１３１は、網側より送信された「呼設定受付」信号により留守番電話サービスセンタに留守番電話メッセージが登録されているか否かを判定する。留守番電話メッセージが存在する場合、制御部１３０は表示部１６０に留守番電話メッセージがある旨の表示を表示させる。留守番電話メッセージが存在しない場合には、制御部１３０は表示部１６０に対し、何の動作も行なわない。その後、制御部１３０は、アンテナ１１０より「呼切断」信号を送信し、通信終了動作となる。
【００２３】
ここで、一般的に、「呼設定」には双方向あり、発呼の場合には携帯電話機から網へ送信し、着呼の場合には網から携帯電話機へ着信する信号である。留守番電話メッセージが登録されているか否かを示すデータが存在するのは、網から携帯電話機へ送信する「呼設定」、「呼設定受付」信号のみである。
【００２４】
次に、図２に示されたフローチャートを参照しながら本実施形態の動作手順を説明する。
まず、ユーザの携帯電話機への着信をアンテナ１１０で受信する（ステップＳ１）。ユーザは携帯電話機からの呼び出しに出ることができる場合には（ステップＳ２／ＹＥＳ）、操作部１５０を操作することで通話状態となる（ステップＳ３）。
【００２５】
ステップＳ２で呼び出しに応答することができなかった場合（ステップＳ２／ＮＯ）、着信が切断され（ステップＳ４）、携帯電話機は不在着信ありの状態となる（ステップＳ５）。この時、タイマカウント部１４０がタイマカウントを開始する（ステップＳ６）。
【００２６】
タイマカウント部１４０があらかじめ設定された設定値Ｍをカウントした場合（ステップＳ６／ＹＥＳ）、留守番電話メッセージが留守番電話サービスセンタに存在するか否かを確認するため、携帯電話機は「呼設定」信号を発信する（ステップＳ７）。「呼設定」信号に対する応答として、網からは「呼設定受付」信号が携帯電話機に送信される。この「呼設定受付」信号には、留守番電話サービスセンタに留守番電話メッセージが登録されているか否かを示すビットが含まれている。
【００２７】
携帯電話機の留守番電話あり／なし判定部１３１は、受信した「呼設定受付」信号により留守番電話メッセージが登録されているか否かを判定する（ステップＳ９）。留守番電話メッセージありと判定した場合には（ステップＳ９／ＹＥＳ）、表示部１６０に留守番電話メッセージが存在することを表示し（ステップＳ１０）、通話を切断する。また、留守番電話メッセージなしと判定した場合は（ステップＳ９／ＮＯ）、通話呼を切断し、一連の動作を終了する。
【００２８】
次に、ＰＤＣ方式の携帯電話機と網（無線基地局）との通信シーケンスの一例を図３を参照しながら説明する。
３０１にて網は着信すべき携帯電話機にページングを送信する。ページングを受信した携帯電話機は３０２にて着信無線状態報告を送信、３０３、３０４にて認証動作を行なう。認証が完了後、３０５にて網は無線チャネル指定を行ない、３０６にて呼設定を送信する。この時、携帯電話機は着信状態となり、呼び出し動作を行なっている状態である。ユーザがこの着信に対して電話に出ることが出来なかった場合、この通信を切断する動作に入る。携帯電話機は、３０７にて切断を送信、３０８にて網より解放を受信、３０９にて解放完了を送信する。網は解放完了を送信すると、３１０にて無線チャネル切断を送信、携帯電話機は３１１にて無線チャネル切断完了を送信し、着信動作を終了する。なお、以上の動作はＰＤＣ通信方式で一般的に定められているシーケンスである。
【００２９】
ここで、３１１にて無線チャネル切断完了送信で不在着信あり状態となるため、携帯電話機はタイマカウントを開始する。タイマカウント値がタイマ設定値Ｍに達した瞬間に、留守番サービスセンタに留守番電話メッセージが残されているか否かを確認する動作に移る。３１２にて携帯電話機は発信無線状態報告を送信後、３１３で留守番電話あり／なしのデータを含む呼設定受付を受信するために呼設定信号を送信する。３１４で呼設定信号を受信した携帯電話機は、これ以上の通信を行なう必要はないため、通信終了動作を行なう。３１５にて切断を送信、切断を受信した網は３１６にて解放を送信、３１７にて携帯無線電話機は解放完了を送信し一連の動作を終了する。
【００３０】
このように本実施形態は、不在着信あり状態となった場合、タイマカウント部１４０がタイマカウントをスタートさせ、タイマ設定値となった瞬間に、携帯電話機は留守番電話メッセージあり／なしを確認するための通信を行なう。このため、着信に出ることができなかった場合に、電話をかけてきた相手が留守番電話メッセージを残したことをタイムラグなしに確認することができる。
【００３１】
また、留守番電話サービスセンタに留守番電話メッセージがあるか否かの確認に既存の「呼設定」信号、「呼設定受付」信号を用いたことで、網側（交換機や無線基地局）側のシステムを変更する必要がない。
【００３２】
次に、添付図面を参照しながら本発明に係る第２の実施形態について説明する。本実施形態は携帯電話機が圏外から圏内に復帰した時に留守番電話メッセージのあり／なしを確認するものである。図４を参照しながら本実施形態の動作手順を説明する。
場所移動などにより圏外から圏内に復帰した場合（ステップＳ１１／ＹＥＳ）、位置登録を行ない待ち受け状態となる（ステップＳ１２）。待ち受け状態となった携帯電話機は、携帯電話機が圏外であった時に留守番電話メッセージが保存されているか否かを確認するため「呼設定」信号を発信する（ステップＳ１３）。その後、網より留守番電話メッセージあり／なしビットを含む「呼設定受付」信号を受信する（ステップＳ１４）。
【００３３】
「呼設定受付」信号を受信した携帯電話機は、制御部１３０中の留守番電話あり／なし判定部１３１が留守番電話メッセージのあり／なしを判定する（ステップＳ１５）。留守番電話メッセージありと判定した場合には（ステップＳ１５／ＹＥＳ）、表示部１６０に留守番電話メッセージが存在することを表示し（ステップＳ１６）、通信を切断、一連の動作を終了する。また、留守番電話メッセージなしと判定した場合には（ステップＳ１５／ＮＯ）、通信を切断し一連の動作を終了する。
【００３４】
次に、図５を参照しながら携帯電話機が圏外から圏内に復帰する場合の通信シーケンスを説明する。
携帯電話機は、位置登録するために網２へ位置登録要求信号５０１を送信する。位置登録要求信号を受信した網２は、携帯電話機１に対して認証要求信号５０２を送信し、認証を行なう。携帯電話機１は、網２からの認証要求信号５０２に応じて認証応答信号５０３を送信する。
【００３５】
認証が完了すると網２は携帯電話機１に対し位置登録受付信号５０４を送信し、位置登録が完了する。携帯電話機１は待ち受け状態となる。ここで、携帯電話機１は、位置登録受付にて圏内へ復帰したと判断し、圏外であった時に留守番電話メッセージが録音されているか否かを確認するために、発信無線状態報告信号５０５を送信後、呼設定信号５０６を送信する。網２は呼設定信号を受信すると、該当携帯電話機１への留守番電話メッセージが登録されているか否かを示すデータを呼設定受付信号５０７に乗せて送信する。呼設定受付信号を受信した携帯電話機１は、これ以上の通信を行なう必要がないため通信終了動作を行なう。携帯電話機１は切断要求信号５０８を送信し、この信号を受信した網２は解放信号５０９を送信する。携帯電話機１からの解放完了信号５１０の送信により一連の動作を終了する。
【００３６】
なお、上述した説明では携帯電話機が圏外から圏内に移動した場合を例に説明を行なったが、携帯電話機の電源がオフからオンに切り替わった時にも適用可能である。
【００３７】
次に、本発明に係る第３の実施形態について説明する。本実施形態は電話に出ることが困難な時のために、予めユーザの設定した時間で着信を切断することを特徴としている。具体的には、タイマカウント部１４０にて、着信後呼切断までの時間をカウントする。電話に出ることが予め困難であると判っている場合には、呼切断までの時間をできるだけ短く設定して素早く留守番電話状態にする。
【００３８】
本実施形態の動作手順を図６に示されたフローチャートを参照しながら説明する。
まず、着信を受けた携帯電話機は（ステップＳ２１／ＹＥＳ）、着信後切断までの時間Ｎをカウントする。なお、カウント時間Ｎはユーザにより設定可能とする。タイマカウント値がＮに満たない場合には（ステップＳ２２／ＮＯ）、ユーザは電話に出ることが可能となる（ステップＳ２３、２４）。また、タイマカウント値がＮに達した瞬間に（ステップＳ２２／ＹＥＳ）、携帯電話機には着信を切断し（ステップＳ２５）、不在着信ありの状態となる（ステップＳ２６）。以降、携帯電話機は、タイマカウント部１４０で「呼設定」信号までの時間をタイマカウントし、タイマカウント値がＭとなった瞬間に「呼設定」信号を発信する。なお、以降の動作は上述した第１の実施形態の動作手順と同一であるため説明を省略する。
【００３９】
なお、上述した実施形態は本発明の好適な実施の形態である。但し、これに限定されるものではなく、本発明の要旨を逸脱しない範囲内において種々変形実施可能である。また、本実施形態の留守番電話メッセージ確認プログラムに係る実施の形態は、図１に示される携帯電話機に、図２、４、６のフローチャートに示される手順で制御するプログラムを格納し、このプログラムによって携帯電話機が動作することで実現される。
【００４０】
【発明の効果】
以上の説明より明らかなように本発明は、携帯電話機で不在着信あり状態となった場合、予め定められた第１の設定時間を計時し、この設定時間となった瞬間に、携帯電話機は留守番電話メッセージあり／なしを確認するための通信を行なう。このため、着信に出ることができなかった場合に、電話をかけてきた相手が留守番電話メッセージを残したことをタイムラグなしに確認することができる。
【００４１】
また、留守番電話サービスセンタに留守番電話メッセージがあるか否かの確認に既存の「呼設定」信号、「呼設定受付」信号を用いたことで、網側のシステムを変更する必要がない。
【図面の簡単な説明】
【図１】本発明に係る実施形態の構成を示すブロック図である。
【図２】第１の実施形態の動作手順を示すフローチャートである。
【図３】携帯電話機と網との通信シーケンスを示す図である。
【図４】第２の実施形態の動作手順を示すフローチャートである。
【図５】携帯電話機と網との通信シーケンスを示す図である。
【図６】第３の実施形態の動作手順を示すフローチャートである。
【符号の説明】
１１０  アンテナ
１２０  変調部
１３０  制御部
１４０  タイマカウント部
１５０  操作部
１６０  表示部
【図１】
2004289633.tif 000003
【図２】
2004289633.tif 000004
【図３】
2004289633.tif 000005
【図４】
2004289633.tif 000006
【図５】
2004289633.tif 000007
【図６】
2004289633.tif 000008